(57)【要約】【課題】アクセス認証が必要なコンテンツをワンタッチ操作で閲覧可能にする携帯通端末を実現する。【解決手段】会員応募サイト２１０のＵＲＬ情報をＲＦＩＤに記憶させておく。携帯電話１００はＲＦＩＤに電磁結合して非接触で広告データを取り込む。携帯電話１００では、予め記憶されるプロフィール情報抽出プログラムを実行して抽出した所有者のプロフィール情報を登録会員か否かを識別するための検索条件とするパスを、広告データから得たＵＲＬ情報に付加してコンテンツ要求ＵＲＬを生成し、このコンテンツ要求ＵＲＬに従って会員応募サイト２１０にアクセスする。会員応募サイト２１０では、コンテンツ要求ＵＲＬに含まれる検索条件（プロフィール情報）に合致する会員の登録の有無を判断し、登録されていれば、要求コンテンツページを携帯電話１００側に送信する。【選択図】図１
2007188291.tif 000002
【特許請求の範囲】
【請求項１】
通信ネットワークに接続され、該通信ネットワークに接続されたコンテンツ提供サービスを提供するコンテンツ管理装置からコンテンツが提供される携帯通信端末において、
印刷記録媒体から少なくとも前記通信ネットワーク上の接続先としての前記コンテンツ管理装置を特定する所在地情報を読み取る読取手段と、
端末所有者の名前を含む個人情報を記憶する記憶手段と、
前記記憶手段に記憶される個人情報を抽出する抽出処理手段と、
前記読取手段によって前記コンテンツ管理装置の所在地情報が読み取られたとき、前記抽出処理手段を実行させる処理実行手段と、
前記抽出処理手段によって抽出される端末所有者の個人情報を前記コンテンツ提供サービスを享受できる登録会員か否かを識別するための検索条件として、前記読取手段により読み取られた前記コンテンツ管理装置の所在地情報に付加したコンテンツ提供要求を生成して前記通信ネットワーク上に出力するコンテンツ要求出力手段と、
前記コンテンツ要求出力手段により出力した前記要求に含まれる所在地情報で特定された前記コンテンツ管理装置から前記要求に含まれる検索条件に応じたコンテンツを受け取って閲覧する閲覧手段と
を備えることを特徴とする携帯通信端末。
【請求項２】
前記読取手段は、電磁結合方式により非接触で印刷記録媒体から前記コンテンツ管理装置の所在地情報を読み取ることを特徴とする請求項１記載の携帯通信端末。
【請求項３】
前記読取手段は、
印刷記録媒体に記された２次元コードを撮像する撮像手段と、
前記撮像手段により撮像された２次元コードを解析する解析手段と、
を備え、
前記解析手段によって解析された前記コンテンツ管理装置の所在地情報を出力することを特徴とする請求項１記載の携帯通信端末。
【請求項４】
通信ネットワークに接続される携帯通信端末からの要求に応答してコンテンツを、該通信ネットワークを介して、要求元に提供するコンテンツ提供サービスを提供するコンテンツ管理装置であって、
個人情報を会員情報として記憶する会員情報記憶手段と、
ネットワークを介して接続する携帯通信端末からのコンテンツ要求を受信する受信手段と、
前記受信手段により受信されたコンテンツ要求が前記コンテンツ提供サービスの提供を享受できる登録会員か否かを識別するためにユーザの個人情報を含む場合に、その個人条件に該当する会員情報を前記会員情報記憶手段から検索する検索手段と、
前記検索手段が該当する会員情報を検索した場合には、登録会員に対応するコンテンツを要求元の通信端末に送信する送信手段と
を備えることを特徴とするコンテンツ管理装置。
【請求項５】
前記送信手段は、前記検索手段が該当する会員情報を検索できなかった場合には、会員登録用コンテンツを要求元の通信端末に送信することを特徴とする請求項４に記載のコンテンツ提供装置。
【請求項６】
通信ネットワークに接続され、該通信ネットワークに接続されたコンテンツ提供装置からコンテンツが提供されるためにコンピュータを、
印刷記録媒体から少なくとも前記通信ネットワーク上の接続先としてのコンテンツ提供サービスを提供するコンテンツ管理装置を特定する所在地情報を読み取る読取手段、
端末所有者の名前を含む個人情報を記憶する記憶手段、
前記記憶手段に記憶される個人情報を抽出する抽出処理手段、
前記読取手段によって所在地情報が読み取られたとき、前記抽出処理手段を実行させる処理実行手段、
前記抽出処理手段によって抽出される端末所有者の個人情報を前記コンテンツ提供サービスを享受できる登録会員か否かを識別するための検索条件として、前記読取手段により読み取られたコンテンツ管理装置の所在地情報に付加したコンテンツ要求を生成して前記通信ネットワーク上に出力するコンテンツ要求出力手段、
前記コンテンツ要求出力手段により要求されたコンテンツ要求に応答したコンテンツ管理装置からのコンテンツを受け取って閲覧する閲覧手段、
として機能させるためのプログラム。
【発明の詳細な説明】
【技術分野】
【０００１】
本発明は、例えば印刷物に記載されたＵＲＬ（Uniform Resource Locator）を読み取って接続先のＷｅｂサイトから該当するコンテンツを取得して表示する携帯通信端末、その携帯通信端末にコンテンツを提供するＷｅｂサイトを構成するコンテンツ管理装置およびプログラムに関する。
【背景技術】
【０００２】
新聞や雑誌あるいは広告など印刷物に記載されたＵＲＬ先のＷｅｂサーバから所望のＷｅｂページを閲覧するには、インターネット上でＷｅｂブラウザを立ち上げ、印刷物に記載されているＵＲＬを目視にて参照しながらＵＲＬを直接にキー入力する必要がある。しかし、ＵＲＬは概して長い文字列で表記されていることが多く、しかもその入力を１字でも間違えるとアクセスに失敗してしまう。この為、ＵＲＬのキー入力は非常に煩わしい操作となる。そこで、近年では、印刷物に記載されたＵＲＬを読み取る機能を備え、これによりキー入力することなく、印刷物に記載されたＵＲＬを簡便に入力でき、ＵＲＬ先にアクセスして取得したコンテンツを表示する通信端末が実用化されており、この種の通信端末については、例えば特許文献１に開示されている。
【０００３】
【特許文献１】特開２００１−１８４１４１号公報
【発明の開示】
【発明が解決しようとする課題】
【０００４】
ところで、上記特許文献１に開示の通信端末では、印刷物に記載されたＵＲＬを読み取るだけで印刷物に記載のＵＲＬのコンテンツを閲覧することができる。しかし、その閲覧はＵＲＬ先のコンテンツがアクセス認証の必要が無いコンテンツに制限される。例えば会員専用のＷｅｂページのように、アクセス認証を必要とするコンテンツを閲覧する場合には、会員番号（ユーザＩＤ）やパスワードをキー入力する面倒なログイン操作が必須になる為、即座に閲覧することが出来ないという問題がある。
【０００５】
本発明は、上述した問題を鑑み、ＵＲＬ先のコンテンツに対するアクセス認証を必要とするコンテンツを即座に閲覧可能にすることができる携帯通信端末、コンテンツ管理装置およびプログラムを提供することが本発明が解決しようとする課題である。
【課題を解決するための手段】
【０００６】
上記目的を達成するため、本発明の態様のひとつである携帯通信端末は、通信ネットワークに接続され、該通信ネットワークに接続されたコンテンツ提供サービスを提供するコンテンツ管理装置からコンテンツが提供される携帯通信端末において、印刷記録媒体から少なくとも前記通信ネットワーク上の接続先としての前記コンテンツ管理装置を特定する所在地情報を読み取る読取手段と、端末所有者の名前を含む個人情報を記憶する記憶手段と、前記記憶手段に記憶される個人情報を抽出する抽出処理手段と、前記読取手段によって前記コンテンツ管理装置の所在地情報が読み取られたとき、前記抽出処理手段を実行させる処理実行手段と、前記抽出処理手段によって抽出される端末所有者の個人情報を前記コンテンツ提供サービスを享受できる登録会員か否かを識別するための検索条件として、前記読取手段により読み取られた前記コンテンツ管理装置の所在地情報に付加したコンテンツ提供要求を生成して前記通信ネットワーク上に出力するコンテンツ要求出力手段と、前記コンテンツ要求出力手段により出力した前記要求に含まれる前記コンテンツ管理装置の所在地情報で特定された前記コンテンツ管理装置から前記要求に含まれる検索条件に応じたコンテンツを受け取って閲覧する閲覧手段と、を備えるように構成することによって前述した課題を解決する。
こうすることにより、従来必須とされていた会員番号（ユーザＩＤ）やパスワードをキー入力する面倒なログイン操作を省き、アクセス認証を必要とするコンテンツを即座に閲覧することが可能となる。
【０００７】
なお、前述した本発明に係る携帯通信端末において、前記読取手段は、電磁結合方式により非接触で印刷記録媒体から前記コンテンツ管理装置の所在地情報を読み取ることができる。
こうすることにより、携帯通信端末を印刷記憶媒体に直接あるいは近接することなく、該印刷記憶媒体から離れた位置および印刷記録媒体に対して角度がある位置からでも前記コンテンツ管理装置の所在地情報を読み取ることが可能となる。
【０００８】
また、前述した本発明に係る携帯通信端末において、前記読取手段は、印刷記録媒体に記された２次元コードを撮像する撮像手段と、前記撮像手段により撮像された２次元コードを解析する解析手段とを備えることにより、前記解析手段によって解析された前記コンテンツ管理装置の所在地情報を出力することを可能とすることができる。
こうすることにより、該印刷記憶媒体から離れた位置および印刷記録媒体に対して角度がある位置からでも前記コンテンツ管理装置の所在地情報を読み取ることが可能となる。
【０００９】
また、本発明の別の態様のひとつであるコンテンツ管理装置は、通信ネットワークに接続される携帯通信端末からの要求に応答してコンテンツを、該通信ネットワークを介して、要求元に提供するコンテンツ管理装置であって、個人情報を会員情報として記憶する会員情報記憶手段と、ネットワークを介して接続する携帯通信端末からのコンテンツ要求を受信する受信手段と、前記受信手段により受信されたコンテンツ要求が前記コンテンツ提供サービスの提供を享受できる登録会員か否かを識別するためにユーザの個人情報を含む場合に、その個人情報に該当する会員情報を前記会員情報記憶手段から検索する検索手段と、前記検索手段が該当する会員情報を検索した場合には、登録会員に対応するコンテンツを要求元の通信端末に送信する送信手段と、を備えるように構成することによって前述した課題を解決する。
こうすることによって、ユーザ側から個人情報を検索条件としたパスを付加したコンテンツ要求を送信すれば、従来必須とされていた会員番号（ユーザＩＤ）やパスワードをキー入力する面倒なログイン操作を省き、アクセス認証を必要とするコンテンツを即座に閲覧することを可能にする。
【００１０】
また、前述した本発明に係るコンテンツ管理装置において、前記送信手段は、前記検索手段が該当する会員情報を検索できなかった場合には、会員登録用コンテンツを要求元の通信端末に送信することができる。
こうすることにより、アクセスをしてきた端末通信端末の所持者に対してコンテンツ提供サービスの享受を受けることができる会員登録を促進することを可能とする。
【００１１】
また、前述した本発明に係る携帯通信端末に相当する処理をコンピュータに行わせるためのプログラムであっても、そのプログラムをコンピュータに読み込ませて実行させることによって、前述した本発明に係る携帯通信端末と同様な作用・効果が得られ、前述した課題が解決される。
【発明の効果】
【００１２】
本発明の携帯通信端末は、印刷記録媒体からコンテンツ提供サービスを提供するコンテンツ管理装置の通信ネットワーク上の所在地情報の読み取りを行い、読み取りが終わると端末所有者の個人情報の抽出を行う。読み取った所在地情報に端末所有者の個人情報をコンテンツ提供サービスが享受できる登録会員か否かを識別するための検索条件として付加して通信ネットワーク上に出力することで、所在地情報先のコンテンツ管理装置から検索条件に応じたコンテンツを受け取って閲覧を行なう。
また、本発明のコンテンツ管理装置は、ネットワークを介して接続する通信端末からのコンテンツ要求を受信し、受信したコンテンツ要求がユーザの個人情報によるコンテンツ提供サービスが享受できる登録会員か否かを識別するための検索条件を含む場合に、その検索条件に該当する会員情報を会員情報記憶手段から検索し、該当する会員情報が検索された場合に、その検索条件に対応するコンテンツを要求元の通信端末に送信を行う。
【００１３】
こうすることにより、印刷記憶媒体の接続先の所在地情報を読み取るだけで、コンテンツ管理装置からコンテンツを閲覧するために従来非須とされていたアクセス認証ための会員番号などのユーザＩＤや個人認証のためのパスワードをキー入力する面倒なログイン操作を不要にし、コンテンツを即座に閲覧することが可能となる。
【発明を実施するための最良の形態】
【００１４】
以下、図面を参照して本発明の実施の一形態について説明する。
Ａ．構成
（１）システム構成
図１は、本発明の実施の一形態によるコンテンツ提供システムの構成を示すブロック図である。この図に示すように、コンテンツ提供システムは、印刷物に貼設あるいは埋設されるＲＦＩＤ（Radio Frequency Identification）（非接触ＩＣタグ）と、非接触ＩＣリーダ機能やＷｅｂサイト閲覧機能を具備する携帯電話１００と、無線基地局ＢＳからモバイルネットワークＭＮを経てゲートウェイＧＷに接続し、さらにこのゲートウェイＧＷからインターネットＩＮを介して携帯電話１００がアクセスするコンテンツ提供装置２００とから構成される。また、コンテンツ提供装置２００は、会員応募サイト２１０およびコンテンツサーバ２２０から構成される。
【００１５】
ＲＦＩＤは、広告データなどの情報を記憶するＩＣチップで構成される非接触ＩＣタグであって、広告などの印刷物に貼設あるいは埋設される。例えば懸賞広告ポスターに設ける場合であれば、懸賞応募先のＷｅｂサイト（あるいはＷｅｂページ）を指定するＵＲＬ情報を含む広告データをＲＦＩＤのＩＣチップに記憶させておく。
【００１６】
ＲＦＩＤは、非接触ＩＣリーダ機能を有する携帯電話１００に対し、電磁結合方式により非接触で広告データを無線送信する。すなわち、非接触ＩＣリーダ機能により携帯電話１００がキャリア電波（磁界）を発生すると、そのキャリア電波に応じてＲＦＩＤがＩＣチップから読み出す広告データに基づき当該キャリア電波を負荷変調する。こうして無線送信される広告データは、携帯電話１００の非接触ＩＣリーダ機能により受信されて携帯電話１００に取り込まれる。
【００１７】
非接触ＩＣリーダから携帯電話１００に読み込まれるＲＦＩＤに記憶の広告データは、携帯電話１００のＷｅｂサイト閲覧機能に連携する形で使用される。すなわち、プロフィール情報抽出プログラム（後述する）の実行を許可すると、当該プロフィール情報抽出プログラムが、携帯電話１００の内部メモリに登録された所有者の個人情報を抽出し、抽出した個人情報を検索条件とするパスを、広告データから抽出するＵＲＬ情報に付加してコンテンツ要求を含むＵＲＬを生成する。
【００１８】
このコンテンツ要求のＵＲＬに基づき携帯電話１００のＷｅｂブラウザが懸賞応募先の会員応募サイト２１０にアクセスする。会員応募サイト２１０では、受信したコンテンツ要求のＵＲＬに含まれる検索条件（携帯電話１００所有者の個人情報）に合致する会員の登録の有無を判断し、携帯電話１００所有者が会員登録されていれば、コンテンツサーバ２２０は要求のコンテンツを読み出して要求元の携帯電話１００側に送出する。
【００１９】
このように、本システムでは、携帯電話１００がＲＦＩＤから取り込んだ広告データに従って生成したコンテンツ要求を含むＵＲＬを用いて会員応募サイト２１０にアクセスすると、会員応募サイト２１０では、コンテンツ要求ＵＲＬに含まれる検索条件（携帯電話１００所有者の個人情報）に合致する会員の登録の有無を判断し、会員登録されていれば、即座にコンテンツサーバ２２０から要求のコンテンツを取得し得るようになる。したがって、従来必須とされていた会員番号（ユーザＩＤ）やパスワードをキー入力する面倒なログイン操作を省き、アクセス認証を必要とするコンテンツを即座に閲覧し得るようになる。
【００２０】
（２）携帯電話１００の構成
次に、図２〜図３を参照して携帯電話１００の構成を説明する。図２は、携帯電話１００の構成を模示的に示す機能ブロック図である。この図において、制御部１０は、ＣＰＵ、ＲＯＭおよびＲＡＭから構成され、後述する入力部１８が発生するイベントに応じて、ＲＯＭに格納される各種処理プログラムを実行して各部を制御する。ＲＯＭに格納される各種処理プログラムとは、後述するサイト閲覧処理を含む。また、本発明の要旨に係わる制御部１０の特徴的な処理動作（サイト閲覧処理の動作）については追って詳述する。
【００２１】
記憶部１１は、プログラム格納部１１ａ、プロフィール情報格納部１１ｂおよびユーザ情報格納部１１ｃから構成される。プログラム格納部１１ａには、プロフィール情報抽出プログラムが格納される。プロフィール情報抽出プログラムは、ユーザからの実行指示に従い、後述するプロフィール情報格納部１１ｂに格納されるプロフィール情報の内から「アルファベット（名前）」および「Ｅメールアドレス」を抽出する。プロフィール情報格納部１１ｂには、携帯電話１００の所有者のプロフィール情報（個人情報）が格納される。プロフィール情報は、図３に図示するように、「名前」、「アルファベット（名前）」、「電話番号」および「Ｅメールアドレス」の他、個人の属性情報（住所、誕生日、星座、血液型、趣味など）から構成される。ユーザ情報格納部１１ｃには、加入者電話番号の他、発信履歴や着信履歴、送受信メール等が格納される。
【００２２】
通信部１２は、制御部１０の制御の下に、ネットワーク側との通信（音声通話又はデータ通信）を制御する。すなわち、音声通話時には、アンテナＡＮＴ１を介して受信復調した音声データを音声送受信部１３に出力する一方、音声送受信部１３から供給される音声データを変調して得た送信信号を高周波増幅してアンテナＡＮＴ１から送出する。データ通信時には、アンテナＡＮＴ１を介して受信復調した受信データをブラウザ部１４に出力する一方、ブラウザ部１４から供給される送信データを変調して得た送信信号を高周波増幅してアンテナＡＮＴ１から送出する。
【００２３】
音声送受信部１３は、ベースバンド信号処理用のＤＳＰ等から構成され、制御部１０の制御の下に、通信部１２からの通話中の音声データを通話部１５に供給したり、あるいは通話部１５から出力される音声データを通信部１２に供給する。
【００２４】
ブラウザ部１４は、制御部１０の指示に従い、通信部１２を介してアクセスするインターネット上のＷｅｂサイトからのコンテンツを取得する。例えば、制御部１０がプログラム格納部１１ａに記憶されるプロフィール情報抽出プログラムを実行し、これにより生成されるコンテンツ要求のＵＲＬがブラウザ部１４に入力されると、ブラウザ部１４では、そのコンテンツ要求ＵＲＬで指定されるＷｅｂサイトのコンテンツを取得して制御部１０に出力する。なお、制御部１０は、ブラウザ部１４が取得したコンテンツをＷｅｂページとして表示部１９に画面表示してユーザに閲覧させる。
【００２５】
通話部１５は、 音声送受信部１３から供給される符号化音声データを音声信号にデコードしてスピーカ１６から発音させたり、あるいはマイク１７から出力される音声信号を符号化音声データにエンコードして音声送受信部１３に供給する。
【００２６】
入力部１８は、パワーオンオフする電源スイッチや、通話開始／終了時に操作されるオフフック／オンフックスイッチあるいは非接触ＩＣリーダ機能の起動を指示するＲＦボタン等の各種スイッチ・ボタン類を備え、これら各種スイッチ・ボタン操作に応じたイベントを発生して制御部１０に供給する。
【００２７】
表示部１９は、カラー液晶パネルおよび表示ドライバから構成され、制御部１０の制御の下に待受画面など各種画面を表示したり、ブラウザ部１４により取得されたコンテンツを画面表示する。
【００２８】
ＲＦリーダ部２０は、リーダ制御部２１からの読み取り指示に従ってキャリア電波（磁界）を発生してアンテナＡＮＴ２から送信する一方、このキャリア電波に応じてＲＦＩＤが発生する送信信号を、アンテナＡＮＴ２を介して受信復調し、これにより得られるＲＦＩＤからの広告データをリーダ制御部２１に出力する。
【００２９】
リーダ制御部２１は、入力部１８のＲＦボタン操作に応じて制御部１０が発生する起動指示に従い、ＲＦリーダ部２０に読み取り指示を発生すると共に、ＲＦリーダ部２０が受信復調したＲＦＩＤからの広告データを制御部１０に供給する。
【００３０】
なお、制御部１０は、リーダ制御部２１から供給される広告データを内部ＲＡＭに取り込み、懸賞応募先のＷｅｂサイト（あるいはＷｅｂページ）を指定するＵＲＬ情報を抽出する。
【００３１】
携帯電話１００は以上のように構成されている。
なお、図２に示した携帯電話１００の構成のうち、制御部１０は、標準的なコンピュ−タ、すなわち、制御プログラムを実行することで各構成要素を制御するＣＰＵと、ＲＯＭやＲＡＭおよび磁気記憶装置などからなり、ＣＰＵに各構成要素を制御させる制御プログラムの記憶やＣＰＵが制御プログラムを実行する際のワークエリアあるいは各種データの記憶領域として使用される記憶部とを備えるコンピュータで構成することもできる。
【００３２】
（３）コンテンツ提供装置２００の構成
次に、図４〜図５を参照してコンテンツ提供装置２００の構成を説明する。図４は、会員応募サイト２１０およびコンテンツサーバ２２０からなるコンテンツ提供装置２００の構成を示す機能ブロック図である。この図において、通信部２１１は、インターネットＩＮを介してアクセスして来るユーザに対してデータ授受する。コンテンツ要求受信部２１２は、通信部２１１が受信したデータの内に、前述した携帯電話１００側から送信されるコンテンツ要求ＵＲＬが含まれる場合、そのコンテンツ要求ＵＲＬを抽出して次段のコンテンツ要求ＵＲＬ解析部２１３に供給する。
【００３３】
コンテンツ要求ＵＲＬ解析部２１３は、コンテンツ要求ＵＲＬの内容を分析した結果に基づきコンテンツ検索部２１４に検索指示を与える。前述したように、携帯電話１００側から送信されるコンテンツ要求ＵＲＬは、ＲＦＩＤから読み取った広告データ中のＵＲＬ情報に、携帯電話１００の所有者のプロフィール情報（個人情報）を検索条件とするパスを付加したものである。例えば広告データ中のＵＲＬ情報が「ｃａｍｐａｉｇｎ．ｃｏ．ｊｐ」であって、図３に図示した携帯電話１００の所有者のプロフィール情報を用いた場合には、コンテンツ要求ＵＲＬの具体的な記述形式は、次のように表現される。
【００３４】
すなわち、「ｈｔｔｐ：／／ｃａｍａｐｉｇｎ．ｃｏ．ｊｐ／ｓｅａｒｃｈ？＝ｎａｍｅ：ｎｉｐｐｏｎｔａｒｏ＆ｍａｉｌ：ａｂｃ＠×××．××××．ｎｅ．ｊｐ」となる。この記述形式において、「ｓｅａｒｃｈ？＝」が検索要求を表し、プロフィール情報を用いた「ｎａｍｅ：ｎｉｐｐｏｎｔａｒｏ＆ｍａｉｌ：ａｂｃ＠×××．××××．ｎｅ．ｊｐ」の部分が検索条件を表すようになっている。
【００３５】
したがって、コンテンツ要求ＵＲＬ解析部２１３では、こうした記述形式のコンテンツ要求ＵＲＬから検索要求および検索条件の部分を抽出してコンテンツ検索部２１４に検索指示を与える。コンテンツ検索部２１４は、与えられた検索指示に従い、検索条件（プロフィール情報）に合致する会員情報を、会員管理情報格納部２１５から検索する。会員管理情報格納部２１５には、会員登録された個人の会員情報がデータベースとして会員管理情報テーブルに記憶管理される。会員情報は、図５に図示するように、会員番号およびプロフィール情報（「名前」、「アルファベット（名前）」、「電話番号」、「Ｅメールアドレス」、個人属性に係わる情報（住所、誕生日、星座、血液型、趣味など）から構成される。
【００３６】
検索条件（プロフィール情報）に一致する会員情報が会員管理情報格納部２１５に登録されている場合に、コンテンツ検索部２１４は、コンテンツサーバ２２０のコンテンツページ格納部２２２からコンテンツページを読み出してコンテンツ送信部２１６に供給する。コンテンツ送信部２１６は、供給されるコンテンツを通信部２１１に出力する。コンテンツサーバ２２０は、会員登録ページ格納部２２１およびコンテンツページ格納部を備える。会員登録ページ格納部２２１には、例えば図１０に示すような非会員向けの新規会員登録ページが格納される。一方、コンテンツページ格納部２２２には、例えば図９に示すような会員向けの要求コンテンツページが格納される。
【００３７】
Ｂ．動作
次に、図６〜図１０を参照して上記構成によるコンテンツ提供システムの動作について説明する。以下では、最初に携帯電話１００の制御部１０が実行するサイト閲覧処理の動作を説明し、続いてコンテンツ提供装置２００が実行するコンテンツ送出処理の動作を説明する。
【００３８】
（１）サイト閲覧処理の動作
図６〜図７を参照して携帯電話１００が実行するサイト閲覧処理の動作を説明する。図６はサイト閲覧処理の処理内容を示すフローチャートである。
まず、ユーザが、ＲＦＩＤを貼設あるいは埋設されている懸賞広告ポスターを見つけ、そのＲＦＩＤ近傍に携帯電話１００をかざして入力部１８のＲＦボタンを操作したとする。そうすると、このＲＦボタン操作に対応したイベントに基づき制御部１０がサイト閲覧処理を実行し、ＲＦボタン操作に応じてステップＳＡ１の判断結果が「ＹＥＳ」となり、ステップＳＡ２の処理に進む。
【００３９】
ステップＳＡ２では、ＲＦＩＤからのＲＦ情報（広告データ）を受信する。すなわち、ＲＦボタン操作で携帯電話１００が発生するキャリア電波（磁界）に応じてＲＦＩＤから送信される信号をＲＦリーダ部２０によって受信復調し、リーダ制御部２１が懸賞応募先のＷｅｂサイト（あるいはＷｅｂページ）を指定するＵＲＬ情報を含む広告データを読み込み、制御部１０に出力する。
【００４０】
ステップＳＡ３では、制御部１０は読み込んだ広告データの内からコード表現のＵＲＬ情報を抽出する。ステップＳＡ４では、前述したステップＳＡ３の抽出処理におけるＵＲＬ情報の抽出が終えると、制御部１０は記憶部１１に記憶している画面パラメータ（図示せず）に基づいてプロフィール情報読み出し可否選択画面を生成して表示部１９に画面表示する。
【００４１】
プロフィール情報読み出し可否選択画面とは、図７に示されるように、ブロフィ−ル情報はセキュリティ保護が必要な個人情報であるので、プロフィール情報を読み出すか否かをユーザによって選択させるための画面である。なお、この画面中の「ＯＫ」に対応する位置に配設されるソフトキー押下で読み出し実行を指示し、「戻る」に対応する位置に配設されるソフトキー押下で読み出し中止を指示するようになっている。
【００４２】
ステップＳＡ５では、読み出し実行が指示されたか否かの判別を行う。図７に示されるプロフィール情報読み出し可否選択画面中の「ＯＫ」に対応する位置に配設されるソフトキーが押下された場合には、判別結果が「ＹＥＳ」になり、ステップＳＡ６の処理に進む。他方、「戻る」に対応する位置に配設されるソフトキーが押下された場合には、判断結果が「ＮＯ」になり、制御部１０によるサイト閲覧処理の実行は終了する。
【００４３】
さて、「ＯＫ」に対応する位置に配設されるソフトキー押下によりステップＳＡ６の処理に進むと、制御部１０は、プログラム格納部１１ａに格納されるプロフィール情報抽出プログラム（図示せず）の起動を行う。ステップＳＡ７では、プロフィール情報抽出プログラムを実行してプロフィール情報格納部１１ｂに記憶されるプロフィール情報の内、アルファベット（名前）およびＥメールアドレスの抽出を行う。
【００４４】
ステップＳＡ８では、制御部１０は、抽出したアルファベット（名前）およびＥメールアドレスをＵＲＬ先のＷｅｂサイトが提供するサービスの登録会員か否かを認識する検索条件とするパスを、広告データから得たＵＲＬ情報に付加したコンテンツ要求ＵＲＬの生成を行う。広告データから得たＵＲＬ情報が「ｃａｎｐａｉｎ．ｃｏ．ｊｐ（会員応募サイト２１０のＵＲＬ）」である場合に、図３に示すような携帯電話１００の所有者のプロフィール情報を用いると、コンテンツ要求ＵＲＬの具体的な記述形式は、「ｈｔｔｐ：／／ｃａｍｐａｉｇｎ．ｃｏ．ｊｐ／ｓｅａｒｃｈ？＝ｎａｍｅ：ｎｉｐｐｏｎｔａｒｏ＆ｍａｉｌ：ａｂｃ＠×××．××××．ｎｅ．ｊｐ」となる。
【００４５】
ステップＳＡ９では、制御部１０によって、Ｗｅｂブラウザ（ブラウザ部１４）の起動を行う。ステップＳＡ１０では、制御部１０が、上述したステップＳＡ８のＵＲＬ生成処理によって要求元のユーザ個人情報（名前および電話番号）が付加されたコンテンツ要求ＵＲＬをＷｅｂブラウザ（ブラウザ部１４）に入力して会員応募サイト２１０にアクセスを行う。
【００４６】
ステップＳＡ１１では、コンテンツ要求ＵＲＬ先のコンテンツ提供装置２００からの要求に応じたコンテンツを受信するまで待機する。すなわち、要求に応じたコンテンツを受信しなければ、上記ステップＳＡ１１の判断結果は「ＮＯ」になり、ステップＳＡ１１を繰り返す。そして、要求に応じたコンテンツを受信すると、判断結果が「ＹＥＳ」になり、ステップＳＡ１２に進む。
【００４７】
ステップＳＡ１２では、制御部１０は、例えば図９に示すような要求コンテンツページを表示部１９に出力し、表示部１９は表示形式に変換して画面表示を行う。上述したステップＳＡ１２の表示処理が終わるとサイト閲覧処理が終える。
【００４８】
このように、携帯電話１００側では、ＲＦＩＤから取り込んだ広告データに従って生成したコンテンツ要求ＵＲＬを用いて会員応募サイト２１０にアクセスするので、アクセス認証を必要とするコンテンツを１回のタッチ操作（ＲＦボタン操作）だけで即座に閲覧することが可能になる。なお、上述した動作は、携帯電話１００の所有者が会員応募サイト２１０に会員登録済みの場合であって、未登録会員の場合には、図１０に図示する新規会員登録ページを会員応募サイト２１０から受信することになる。
【００４９】
（２）コンテンツ送出処理の動作
次に、図８〜図１０を参照してコンテンツ提供装置２００が実行するコンテンツ送出処理の動作を説明する。図８はコンテンツ送出処理の処理内容を示すフローチャートである。
【００５０】
まず、インターネットＩＮを介して会員応募サイト２１０にアクセスしてくるユーザからコンテンツ要求を受信すると、ステップＳＢ１の判別結果が「ＹＥＳ」になり、ステップＳＢ２の処理に進む。
【００５１】
ステップＳＢ２では、受信したコンテンツ要求に検索パスが付加されているか否かをコンテンツ受信部２１２により判別を行う。検索パスが付加されていなければ、判断結果は「ＮＯ」になり、ステップＳＢ３の処理に進み、コンテンツ検索部２１４が会員応募サイト２１０のトップＷｅｂページをコンテンツサーバ２２０のコンテンツページ格納部２２２から読み出し、コンテンツ送信部２１６によって送信形式に変換を行い、要求元に送信して本処理を終える。
【００５２】
一方、受信したコンテンツ要求に検索パスが付加されていると、上記ステップＳＢ２の判断結果は「ＹＥＳ」となり、ステップＳＢ４の処理に進む。ステップＳＢ４では、受信したコンテンツ要求の検索パス（検索条件）をコンテンツ要求ＵＲＬ解析部により抽出が行われる。前述したコンテンツ要求ＵＲＬ「ｈｔｔｐ：／／ｃａｍｐａｉｎｇｎ．ｃｏ．ｊｐ／ｓｅａｒｃｈ？＝ｎａｍｅ：ｎｉｐｐｏｎｔａｒｏ＆ｍａｉｌ：ａｂｃ＠×××．××××．ｎｅ．ｊｐ」の場合、検索条件として「ｎａｍｅ：ｎｉｐｐｏｎｔａｒｏ＆ｍａｉｌ：ａｂｃ＠×××．××××．ｎｅ．ｊｐ」が抽出される。
【００５３】
続いて、ステップＳＢ５では、上記ステップＳＢ４の抽出処理にて抽出した検索条件（プロフィール情報）の名前、電話番号を複合キーワードとして会員管理情報格納部２１５の会員管理情報テーブルの検索を行う。
【００５４】
そして、ステップＳＢ６では、コンテンツ検索部２１４によって、検索条件（プロフィール情報）と一致する会員情報の有無、すなわちコンテンツ要求をしたユーザが登録会員であるか否かの判別が行われる。コンテンツ要求をしたユーザが登録会員である場合には、判別結果は「ＹＥＳ」になり、ステップＳＢ７の処理に進む。
【００５５】
ステップＳＢ７では、コンテンツサーバ２２０のコンテンツページ格納部２２２から所定のコンテンツページを読み出す。そして、ステップＳＢ８では、その読み出したコンテンツページをコンテンツ送信部２１６によって送信形式に変換を行って要求元に送信する。これにより、携帯電話１００側には図９に示されるような要求コンテンツページが提供される。
【００５６】
これに対し、上述したステップＳＢ６の判別処理においてコンテンツ要求をしてきたユーザが非登録会員と判別された場合には、上記ステップＳＢ６の判断結果が「ＮＯ」になり、ステップＳＢ９の処理に進む。
【００５７】
ステップＳＢ９では、コンテンツ検索部２１４が、コンテンツサーバ２２０の会員登録ページ格納部２２１から新規会員登録ページの読み出しを行う。そして、ステップＳＢ１０では、コンテンツ検索部２１４が読み出した新規会員登録ページをコンテンツ送信部２１６において送信形式に変換して要求元に送信を行う。これにより、携帯電話１００側には図１０に示すような会員登録に必要な項目の入力をユーザに促す新規会員登録ページが提供される。
【００５８】
ステップＳＢ１１では、コンテンツ要求受信部２１２において、新規会員登録ページを受け取ったユーザによって、その登録ページ上の入力項目に従って入力されたプロフィール情報（「名前」、「アルファベット（名前）」、「電話番号」、「Ｅメールアドレス」、および個人属性に係わる情報（住所、誕生日、星座、血液型、趣味など）をコンテンツ要求元ユーザから受信するまで待機する。そして、入力済み新規会員登録ページをコンテンツ要求元ユーザから受領すると、ここでの判断結果が「ＹＥＳ」になり、ステップＳＢ１２の処理に進む。
【００５９】
ステップＳＢ１２では、コンテンツ検索部２１４がコンテンツ要求受信部２１２が受信した登録要求元が入力した入力済み新規会員登録ページから会員登録項目（プロフィール情報）に応じた登録データの抽出を行う。
ステップＳＢ１３では、コンテンツ検索部２１４が、抽出した会員登録項目（プロフィール情報）からなるレコードを生成し、会員管理情報格納部２１５の会員管理情報テーブルにエントリ登録して本処理を終える。
【００６０】
以上のように、本実施の形態では、インターネット上のＷｅｂページを指定するＵＲＬ情報、例えば、懸賞応募先となる会員応募サイト２１０のＵＲＬ情報を含む広告データを、電磁結合により非接触でデータ送信するＲＦＩＤに記憶させておく。携帯電話１００では、このＲＦＩＤに電磁結合して非接触で広告データを取り込む。そして、プロフィール情報抽出プログラムを実行して携帯電話１００の所有者のプロフィール情報を抽出し、抽出したプロフィール情報を登録会員か否かを識別するための検索条件とするパスを、広告データから得たＵＲＬ情報に付加したコンテンツ要求ＵＲＬに従って会員応募サイト２１０にアクセスする。
【００６１】
一方、会員応募サイト２１０では、アクセスしてきた携帯電話１００側から受信したコンテンツ要求の検索条件（プロフィール情報）に従って会員管理情報格納部２１５の会員管理情報テーブルを検索し、検索条件に一致する会員情報の有無を判断し、該当する会員情報が登録されていれば、登録会員であるとして要求コンテンツページを携帯電話１００側に送信する。これにより、従来必須とされていた、会員番号（ユーザＩＤ）やパスワードをキー入力する面倒なログイン操作が不要になり、ＲＦＩＤから広告データを読み取るためのＲＦボタン操作を行うだけで即座に要求コンテンツを取得して閲覧することが可能になる。
【００６２】
なお、上述した実施形態では、予め通信端末１００にプロフィール情報抽出プログラムを記憶させておく形態としたが、これに限らず、プロフィール情報抽出プログラムをＵＲＬ情報と共にＲＦＩＤに記憶させておき、ＲＦＩＤからＵＲＬ情報およびプロフィール情報抽出プログラムを取り込む形態とすることも可能である。また、本実施の形態では、ＲＦＩＤにＵＲＬ情報を格納するようにしたが、これに替えて、周知のＱＲコード（２次元コード）を用いてＵＲＬ情報を記録させる態様であっても構わない。
【００６３】
また、前述した図６に示した処理を前述したような標準的な構成を有するコンピュータに行わせるための制御プログラムを作成し、その制御プログラムをそのコンピュータに読み込ませて実行させることにより、上述した実施例における携帯電話１００に相当する機能をそのようなコンピュータに行わせることも可能である。
【図面の簡単な説明】
【００６４】
【図１】本発明の実施の一形態によるコンテンツ提供システムの構成を示すブロック図である。
【図２】携帯電話１００の構成を示すブロック図である。
【図３】プロフィール情報格納部１１ｂに記憶されるプロフィール情報の構成を示す図である。
【図４】コンテンツ提供装置２００の構成を示すブロック図である。
【図５】会員管理情報格納部２１５の会員管理情報テーブルに登録される会員情報の構成を示す図である。
【図６】携帯電話１００が実行するサイト閲覧処理の動作を示すフローチャートである。
【図７】プロフィール情報読み出し可否選択画面の一例を示す図である。
【図８】コンテンツ提供装置２００が実行するコンテンツ送出処理の動作を示すフローチャートである。
【図９】携帯電話１００側で画面表示される要求コンテンツページの一例を示す図である。
【図１０】携帯電話１００側で画面表示される新規会員登録ページの一例を示す図である。
【符号の説明】
【００６５】
１０  制御部
１１  記憶部
１１ａ  プログラム格納部
１１ｂ  プロフィール情報格納部
１１ｃ  ユーザ情報格納部
１２  通信部
１３  音声信号送受信部
１４  ブラウザ部
１５  通話部
１６  スピーカ
１７  マイク
１８  入力部
１９  表示部
２０  ＲＦリーダ部
２１  リーダ制御部
１００  携帯電話
２００  コンテンツ提供装置
２１０  会員応募サイト
２１１  通信部
２１２  コンテンツ要求受信部
２１３  コンテンツ要求ＵＲＬ解析部
２１４  コンテンツ検索部
２１５  会員情報格納部
２１６  コンテンツ送信部
２２０  コンテンツサーバ
２２１  会員登録ページ格納部
２２２  コンテンツページ格納部
【図１】
2007188291.tif 000003
【図２】
2007188291.tif 000004
【図３】
2007188291.tif 000005
【図４】
2007188291.tif 000006
【図５】
2007188291.tif 000007
【図６】
2007188291.tif 000008
【図７】
2007188291.tif 000009
【図８】
2007188291.tif 000010
【図９】
2007188291.tif 000011
【図１０】
2007188291.tif 000012